(57)【要約】      （修正有）【課題】カバーや羽根などの支持構造が内蔵され、サーキュレータの占有スペースの減少に有利であるとともに、ハウジング及び空洞部の保護により、支持構造のほこりの蓄積を効果的に低減させ、該構造の長期にわたる効率的な動作を可能にし、カバーが分離可能で、清掃やメンテナンスが容易になるサーキュレータを提供する。【解決手段】サーキュレータは、ベース１と、駆動機構４と伝動連結される羽根３と、羽根３の外周を覆うカバーとを備え、カバーの後側には、駆動機構４が取り付けられる空洞部が凹状に形成され、羽根３を取り付けるために、駆動機構４の出力軸が空洞部の前壁を貫通してカバー内に突出し、ベース１には、空洞部内に延びて、駆動機構４と可動に組み付けられる支持体５が設けられ、駆動機構４及びカバーが支持体５に対して移動するために可動溝が設けられる。【選択図】図２
0003223489.tif 000002
【実用新案登録請求の範囲】
【請求項１】
サーキュレータを支持載置するためのベースと、気流を発生させるために駆動機構と伝動連結される羽根と、前記羽根の外周を覆うカバーと、を備えるサーキュレータであって、
前記カバーは、取り外し可能に装着される前カバー、カバー本体及び後カバーを備え、前記カバーのグリルが前記前カバー及び後カバーに設けられ、前記カバー本体が円筒状をなし、前記前カバー及び後カバーが前記カバー本体の前端及び後端にそれぞれ装着され、
前記後カバーには、前記駆動機構が嵌合して取り付けられる空洞部が凹状に形成され、前記駆動機構の出力軸が、前記羽根を取り付けるために前記空洞部の前壁を貫通して突出し、
前記ベースには、前記空洞部に延びる支持体が固着され、風向の調節を実現するように、前記駆動機構が前記支持体に可動に取り付けられ、
前記サーキュレータには、前記駆動機構及びカバーが前記支持体に対して移動するために可動溝が設けられていることを特徴とするサーキュレータ。
【請求項２】
前記駆動機構はハウジング及びモータアセンブリを有し、前記ハウジングに前記空洞部の前壁から延出するネジ筒を有し、前記ネジ筒には、前記空洞部の前壁に対してネジ筒をロックするためのナットリングが配置され、前記ハウジングに前記モータアセンブリを取り付ける内筒を有し、前記羽根を取り付けるために、前記モータアセンブリの出力軸が前記ネジ筒を貫通して突出することを特徴とする請求項１に記載のサーキュレータ。
【請求項３】
前記支持体が前記ハウジング内に延びて前記内筒にヒンジ連結されていることを特徴とする請求項２に記載のサーキュレータ。
【請求項４】
前記空洞部の前壁が、内壁にボスを形成するように内方に向かって凹んでおり、前記駆動機構のハウジングの前壁には、前記ボスと係合する溝部が設けられていることを特徴とする請求項３に記載のサーキュレータ。
【請求項５】
前記カバー本体と前記後カバーとの間には、両者を連結ロックするための第１ロックアセンブリ、第２ロックアセンブリが設けられ、
前記第１ロックアセンブリは、前記カバー本体と前記後カバーとにそれぞれ設けられた、第１係止溝と、固定的に設けられて前記第１係止溝と係合する第１係止片とを備え、
前記第２ロックアセンブリは、前記カバー本体と前記後カバーとにそれぞれ設けられた、第２係止溝と、可動に取り付けられて前記第２係止溝と可動に係合する第２係止片とを備えることを特徴とする請求項１に記載のサーキュレータ。
【請求項６】
前記カバー本体の後端が前記後カバーの前端と嵌合連結され、両者の嵌合連結箇所に回転式ロック部材が設けられ、前記回転式ロック部材は、前記カバー本体と前記後カバーとにそれぞれ設けられた、位置決め爪が設けられる位置規制部材と、前記位置規制部材が挿入するための位置規制溝とを備え、前記位置規制溝内には、前記位置決め爪と係合する位置決め溝が設けられ、前記位置決め爪と前記位置決め溝との係合は、前記カバー本体と前記後カバーとの相対回転制御により実現されることを特徴とする請求項１に記載のサーキュレータ。
【請求項７】
前記後カバーに把手部が凹状に形成されていることを特徴とする請求項１に記載のサーキュレータ。
【考案の詳細な説明】
【技術分野】
【０００１】
本考案はサーキュレータに関するものである。
【背景技術】
【０００２】
サーキュレータの役割は主に室内気流循環を促進し、空気質を改善することである。その構成としては、通常、ベースと、羽根と、カバーと、駆動機構などを備え、従来の装着方式は、一体式カバーが羽根の外周を覆い、ベースが露出した支持構造を介して駆動機構、羽根と可動に連結されるが、この装着方式は、サーキュレータの清掃やメンテナンスに不利であり、支持構造が完全に露出していることで、サーキュレータの体積が大きく、占有スペースが大きくなり、支持連結箇所にほこりが溜まりやすく、カバーの動作に影響を及ぼすことがある。
【考案の概要】
【考案が解決しようとする課題】
【０００３】
本考案が解決しようとする技術的課題は、改良されたサーキュレータを提供することである。
【０００４】
本考案は、技術的課題を解決するために以下の技術的手段を採用する。
【０００５】
サーキュレータを支持載置するためのベースと、気流を発生させるために駆動機構と伝動連結される羽根と、前記羽根の外周を覆うカバーと、を備えるサーキュレータであって、
前記カバーは、取り外し可能に装着される前カバー、カバー本体及び後カバーを備え、前記カバーのグリルが前記前カバー及び後カバーに設けられ、前記カバー本体が円筒状をなし、前記前カバー及び後カバーが前記カバー本体の前端及び後端にそれぞれ装着され、
前記後カバーには、前記駆動機構が嵌合して取り付けられる空洞部が凹状に形成され、前記駆動機構の出力軸が、前記羽根を取り付けるために前記空洞部の前壁を貫通して突出し、
前記ベースには、前記空洞部に延びる支持体が固着され、風向の調節を実現するように、前記駆動機構が前記支持体に可動に取り付けられ、
前記サーキュレータには、前記駆動機構及びカバーが前記支持体に対して移動するために可動溝が設けられている。
【０００６】
上述のサーキュレータにおいて、前記駆動機構はハウジング及びモータアセンブリを有し、前記ハウジングに前記空洞部の前壁から延出するネジ筒を有し、前記ネジ筒には、前記空洞部の前壁に対してネジ筒をロックするためのナットリングが配置され、前記ハウジングに前記モータアセンブリを取り付ける内筒を有し、前記羽根を取り付けるために、前記モータアセンブリの出力軸が前記ネジ筒を貫通して突出する。
【０００７】
上述のサーキュレータにおいて、前記支持体が前記ハウジング内に延びて前記内筒にヒンジ連結されている。
【０００８】
上述のサーキュレータにおいて、前記空洞部の前壁が、内壁にボスを形成するように内方に向かって凹んでおり、前記駆動機構のハウジングの前壁には、前記ボスと係合する溝部が設けられている。
【０００９】
上述のサーキュレータにおいて、前記カバー本体と前記後カバーとの間には、両者を連結ロックするための第１ロックアセンブリ、第２ロックアセンブリが設けられ、
前記第１ロックアセンブリは、前記カバー本体と前記後カバーとにそれぞれ設けられた、第１係止溝と、固定的に設けられて前記第１係止溝と係合する第１係止片とを備え、
前記第２ロックアセンブリは、前記カバー本体と前記後カバーとにそれぞれ設けられた、第２係止溝と、可動に取り付けられて前記第２係止溝と可動に係合する第２係止片とを備える。
【００１０】
上述のサーキュレータにおいて、前記カバー本体の後端が前記後カバーの前端と嵌合連結され、両者の嵌合連結箇所に回転式ロック部材が設けられ、前記回転式ロック部材は、前記カバー本体と前記後カバーとにそれぞれ設けられた、位置決め爪が設けられる位置規制部材と、前記位置規制部材が挿入するための位置規制溝とを備え、前記位置規制溝内には、前記位置決め爪と係合する位置決め溝が設けられ、前記位置決め爪と前記位置決め溝との係合は、前記カバー本体と前記後カバーとの相対回転制御により実現される。
【００１１】
上述のサーキュレータにおいて、前記後カバーに把手部が凹状に形成されている。
【考案の効果】
【００１２】
カバーが取り外し可能な３つの部分に分けられ、取り外した後にサーキュレータを清掃メンテナンスすることができ、また、サーキュレータの支持体がカバー内に実質的に内蔵され、サーキュレータの体積低減に有利であるとともに、支持体のほこりの蓄積を防止して、支持体と駆動機構との動作の円滑性を確保し、風向の調節を容易にする。
【図面の簡単な説明】
【００１３】
【図１】は本考案の概略図である。
【図２】は本考案の断面概略図である。
【図３】は本考案の背面概略図である。
【図４】は本考案に係る後カバーの分解概略図である。
【図５】は本考案の一実施例の分解概略図である。
【図６】は本考案の他の実施例の分解概略図である。
【考案を実施するための最良の形態】
【００１４】
以下、図面を参照しながら例示的で非制限的な方式で本考案の一部の具体的な実施例を詳細に説明し、図面における同じ符号は同様または類似した部材または部分を示す。当業者は、これらの図面が必ずしも寸法通りに描かれているわけではないことを理解するであろう。
【００１５】
本考案の実施例の目的、技術的手段及びメリットをより明確にするために、以下本考案の実施例の図面を参照しながら、本考案の実施例の技術的手段について明確で完全な説明を行う。説明した実施例はすべての実施例ではなく、本考案の一部の実施例であることは言うまでもない。
【００１６】
説明される本考案の実施例に基づき、当業者が創作的な労働を行うことなく得られるすべてのその他実施例は、いずれも本考案の保護範囲に属するものである。別の定義がない限り、本考案で用いた技術用語又は科学用語は、本考案が属する分野において通常の知識を有する者が理解し得る通常の意味である。
【００１７】
本考案で用いる「第１」、「第２」及び類似用語は順番、数量又は重要性を示すものではなく、異なる構成部分を区別するためのものである。同様に、「一つ」、「一」又は「該」などの類似用語は、数量の制限を示すものではなく、少なくとも一つ存在することを示すものである。「備える」又は「含む」などの類似用語は、当該用語が現れた前の要素又はモノが、当該用語が現れた後に挙げられた要素又はモノ及び同等物を包含することを指し、その他要素又はモノは排除する意味ではない。「連結」又は「接続」などの類似用語は、物理的又は機械的な連結に限定するのではなく、直接か間接かを関係なしに、電気的接続を含んでもよい。「上」、「下」、「左」、「右」などは、相対的位置関係を示すためのものであり、説明対象の絶対位置が変更されると、その相対的位置関係も対応的に変更することになる。
【００１８】
サーキュレータは、ベース１を介して支持載置され、ベース１に羽根３、カバー２及び駆動機構４が取り付けられ、通常、カバー２が羽根３の外周を覆い、安全事故を防止する役割を果たし、駆動機構４がモータアセンブリ４１や制御回路などを備え、その出力軸が羽根３と伝動連結されることで、羽根を回転させて気流を発生させる。
【００１９】
図１〜６に示されるように、カバー２は、取り外し可能に装着される前カバー２０、カバー本体２１及び後カバー２２を備え、前記カバー２のグリルが前記前カバー２０及び後カバー２２に設けられ、前記カバー本体２１が円筒状をなし、前記前カバー２０及び後カバー２２が前記カバー本体２１の前端及び後端にそれぞれ装着され、三者は従来の周知の係止方式により装着されてもよい。後カバー２２には、駆動機構４が嵌合して取り付けられ、凹状に形成された空洞部２２０が設けられ、駆動機構４の出力軸が、空洞部２２０の前壁を貫通してカバー２内に突出し、羽根３が出力軸に取り付けられる。ベース１には、前記空洞部２２０に延びる支持体５が固着され、駆動機構４が支持体５に可動に装着される。
【００２０】
駆動機構４はハウジング４０及びモータアセンブリ４１を有し、ハウジング４０に前記空洞部２２０の前壁から延出するネジ筒を有し、前記ネジ筒には、前記空洞部２２０の前壁に対してネジ筒をロックするためのナットリングが配置され、前記ハウジング４０に前記モータアセンブリ４１を取り付ける内筒４００を有し、支持体５は通常、前記ハウジング４０に延びるとともに、回転軸により前記内筒４００の両側に回転可能に取り付けられる２本の支持ロッドを備え、前記羽根３を取り付けるために、前記モータアセンブリ４１の出力軸が前記ネジ筒を貫通して突出する。
【００２１】
これにより、駆動機構４、羽根３及びカバー２が連動する一体構造となり、支持体５を支点としてカバー２に力を加えると、連動する一体構造が同期して移動することで、風向の調節を実現する。また、この部分と支持体５との相対位置が変化するため、サーキュレータには、支持体５の相対移動のための空間を確保する可動溝６を設ける必要があり、そうしないと干渉が生じる。可動溝６は、所定の高さ及び深さを有し、後カバー２２及び駆動機構４のハウジング４０に形成されている。
【００２２】
駆動機構４のハウジング４０は、カバー２と形状嵌合し、空洞部２２０に挿入された後、ハウジング４０の壁面が後カバー２２と合致し、サーキュレータの後側が一面化する。好ましくは、ハウジング４０の壁面にはカバー２に対応するグリルが設けられ、カバー２の全体の一面性を確保するとともに、駆動機構４の放熱を容易にする。また、空洞部２２０の上方に把手部が凹状に形成されて、サーキュレータを手で持つことができる。
【００２３】
駆動機構４のハウジング４０とカバー２の空洞部２２０とが装着されるに際して、両者を確実に装着するために、空洞部２２０の前壁が、内面にボス２２１を形成するように空洞部２２０の内方に向かって凹んでおり、前記駆動機構４のハウジング４０の前壁には、前記ボス２２１に係合する溝部が設けられ、前記駆動機構４の出力軸が前記ボス２２１の中部の貫通孔を貫通して突出する。ボス２２１と溝部との係合は、取付時にガイドとして機能するとともに、位置規制部材としても機能することができ、構造間の装着安定性を向上する。
【００２４】
サーキュレータは、強力な気流を発生させるために用いられるので、カバー本体２１にグリルを設けずに、前カバー２０と、後カバー２２とのみにグリルを設けることで、気流の収束に有利であり、送風距離が遠くなる。カバー２は、清掃やメンテナンスを容易にするために、取り外し可能に装着され、カバー本体２１と後カバー２２とは羽根３に対応し、常に清掃が必要な位置であるため、取り外し時のカバー本体２１と後カバー２２との着脱容易性が非常に重要であり、カバー本体２１と後カバー２２との装着は以下のように実施されてもよい。
【００２５】
第一実施形態において、前記カバー本体２１と前記後カバー２２との間には、両者を連結ロックするための第１ロックアセンブリ、第２ロックアセンブリが設けられ、
前記第１ロックアセンブリは、前記カバー本体２１と前記後カバー２２とにそれぞれ設けられた、第１係止溝２１０と、固定的に設けられて前記第１係止溝２１０と係合する第１係止片２２２とを備え、
前記第２ロックアセンブリは、前記カバー本体２１と前記後カバー２２とにそれぞれ設けられた、第２係止溝と、可動に取り付けられて前記第２係止溝と可動に係合する第２係止片２２３とを備える。
【００２６】
図５に示されるように、カバー本体２１と後カバー２２とは、２つのロックアセンブリによって装着連結され、通常、第１ロックアセンブリが上方位置に１つ又は複数設けられ、第２ロックアセンブリの数が１つでよい。装着する際に、第１係止片２２２を第１係止溝２１０内に対応して係合し、さらに第２係止片２２３を第２係止溝に係合することにより、カバー本体２１と後カバー２２との装着が完了する。第１係止片２２２及び第２係止溝は固定的に設けられており、両者の装着後の位置の間に緩みがあまり生じることがなく、装着の安定性を確保することができる。第２係止片２２３は可動であり、例えば回転軸により後カバー２２に回転可能に取り付けられ、着脱時の操作容易性を確保することができるが、ロックアセンブリが全て固定式である場合に、取り外し時に適切な力付与開始位置がなく、取付時に位置を調整して各ロックアセンブリを対応させることが困難となる。
【００２７】
第二実施形態において、前記カバー本体２１の後端が前記後カバー２２の前端と嵌合連結され、両者の嵌合連結箇所に回転式ロック部材が設けられ、前記回転式ロック部材は、前記カバー本体２１と前記後カバー２２とにそれぞれ設けられた、位置決め爪が設けられる位置規制部材２１１と、前記位置規制部材２１１が挿入するための位置規制溝とを備え、前記位置規制溝内には、前記位置決め爪と係合する位置決め溝が設けられ、前記位置決め爪と前記位置決め溝との係合は、前記カバー本体２１と前記後カバー２２との相対回転制御により実現される。また、前カバー２０とカバー本体２１とは回転式ロック部材を採用してもよく、具体的な形状がカバー本体における回転式ロック部材と区別させることができるが、両者の回転によるロック部材の制御の原理が同一である。
【００２８】
図６に示されるように、カバー本体２１の後端には、後カバー２２の前端の外径と合致する嵌合端が設けられ、カバー本体２１が後カバー２２に嵌設され、嵌合端の内壁面に位置規制部材２１１が設けられ、後カバー２２の対応する位置に開口を有する位置規制溝が設けられ、カバー本体２１を後カバー２２に嵌合する際に、位置規制部材２１１が開口を介して位置規制溝に勢いよく挿入し、位置規制溝内の一端に位置規制部材２１１における位置決め爪と係合する位置決め溝が設けられ、カバー本体２１を所定角度回転させると、位置決め爪が位置決め溝に係合するまで位置規制部材２１１が位置規制溝内を移動する。
【００２９】
要約すると、改良されたサーキュレータは、カバー２や羽根３などの支持構造が内蔵され、サーキュレータの占有スペースの減少に有利であるとともに、ハウジング及び空洞部２２０の保護により、支持構造のほこりの蓄積を効果的に低減させ、該構造の長期にわたる効率的な動作を可能にする。また、サーキュレータは取り外し可能で、清掃やメンテナンスが容易になる。
【００３０】
以上の記載は本考案の好ましい実施形態であって、本考案を限定するためのものではない。当業者にとって、本考案には様々な変更、組み合わせ及び変形があってもよい。本考案の精神や原則内でなされたすべての修正、同等な置換、改良などは、いずれも本考案の請求の範囲に含まれるものである。
【符号の説明】
【００３１】
１…ベース
２…カバー
２０…前カバー
２１…カバー本体
２１０…第１係止溝
２１１…位置規制部材
２２…後カバー
２２０…空洞部
２２１…ボス
２２２…第１係止片
２２３…第２係止片
３…羽根
４…駆動機構
４０…ハウジング
４００…内筒
４１…モータアセンブリ
５…支持体
６…可動溝
【図１】
0003223489.tif 000003
【図２】
0003223489.tif 000004
【図３】
0003223489.tif 000005
【図４】
0003223489.tif 000006
【図５】
0003223489.tif 000007
【図６】
0003223489.tif 000008